(57)【要約】【課題】誤り率の算出精度の低下を防ぐとともに、送信電力制御を正常に動作させて、伝送効率の低下を防ぐこと。【解決手段】Ｅ−ＤＰＤＣＨ復号部１０６は、Ｅ−ＤＰＤＣＨ信号を復号してＥ−ＤＰＤＣＨ信号の誤りの有無を判定する。Ｅ−ＨＩＣＨ符号部１１１は、Ｅ−ＤＰＤＣＨ復号部１０６によりＥ−ＤＰＤＣＨ信号に誤りが有ると判定された場合に、Ｅ−ＤＰＤＣＨ信号の再送を要求する。Ｅ−ＤＰＣＣＨ検出部１０４は、Ｅ−ＤＰＣＣＨ信号を復号する。ＲＳＮ抽出部１０５は、ＲＳＮを抽出する。Ｅ−ＤＰＤＣＨ誤り率算出部１０７は、Ｅ−ＤＰＤＣＨ復号部１０６における判定の結果より、Ｅ−ＤＰＤＣＨ信号の誤り率を算出するとともに、ＲＳＮに基づいて誤り率を補正する。ターゲットＳＩＲ制御部１０８は、補正した誤り率により送信電力制御の目標品質を制御する。【選択図】図２
2011120075.tif 000002
【特許請求の範囲】
【請求項１】
制御チャネル信号またはデータチャネル信号を受信する受信手段と、
前記受信手段により受信した前記データチャネル信号を復号して前記データチャネル信号の誤りの有無を判定する復号手段と、
前記復号手段により前記データチャネル信号に誤りが有ると判定された場合に、前記データチャネル信号の再送を要求する再送要求手段と、
前記受信手段により受信した前記制御チャネル信号を復号して前記データチャネル信号のデータの送信回数を検出する検出手段と、
前記復号手段における前記判定の結果より前記データチャネル信号の誤り率を算出するとともに、前記検出手段により検出した前記送信回数に基づいて前記誤り率を補正する誤り率算出手段と、
前記誤り率算出手段において補正した前記誤り率により送信電力制御の目標品質を制御する制御手段と、
を具備する通信装置。
【請求項２】
前記誤り率算出手段は、前記検出手段により検出した前回の前記送信回数と今回の前記送信回数との整合が取れていない場合に、前回受信した前記データチャネル信号の前記判定の結果を除いて前記誤り率を算出する補正を行う請求項１記載の通信装置。
【請求項３】
前記誤り率算出手段は、前記再送要求手段により再送を要求した際に受信した前記データチャネル信号の前記送信回数が初回送信である場合に、前回受信した前記データチャネル信号の前記判定の結果を除いて前記誤り率を算出する補正を行う請求項１記載の通信装置。
【請求項４】
前記誤り率算出手段は、前記初回送信である場合に加えて、最大送信回数に達していない場合に、前回受信した前記データチャネル信号の前記判定の結果を除いて前記誤り率を算出する補正を行う請求項３記載の通信装置。
【請求項５】
前記受信手段は、前記制御チャネル信号であるＥ−ＤＰＣＣＨ信号または前記データチャネル信号であるＥ−ＤＰＤＣＨ信号を受信し、
前記復号手段は、前記受信手段により前記Ｅ−ＤＰＣＣＨ信号を受信した場合に前記Ｅ−ＤＰＤＣＨ信号を復号し、
前記再送要求手段は、前記Ｅ−ＤＰＤＣＨ信号の前記再送をＥ−ＨＩＣＨ信号により要求し、
前記検出手段は、前記Ｅ−ＤＰＣＣＨ信号から送信回数情報を抽出して前記送信回数を検出し、
前記誤り率算出手段は、前記再送要求手段により再送を要求した際に受信した前記Ｅ−ＤＰＣＣＨ信号より抽出した前記送信回数情報が「０」の初回送信の場合に、前回受信した前記Ｅ−ＤＰＤＣＨ信号の前記判定の結果を除いて前記誤り率を算出する補正を行う請求項１記載の通信装置。
【請求項６】
通信装置の送信電力制御における目標品質制御方法であって、
制御チャネル信号またはデータチャネル信号を受信するステップと、
受信した前記データチャネル信号を復号して前記データチャネル信号の誤りの有無を判定するステップと、
前記データチャネル信号に誤りが有ると判定された場合に、前記データチャネル信号の再送を要求するステップと、
受信した前記制御チャネル信号を復号して前記データチャネル信号のデータの送信回数を検出するステップと、
前記判定の結果より前記データチャネル信号の誤り率を算出するとともに、検出した前記送信回数に基づいて前記誤り率を補正するステップと、
補正した前記誤り率により送信電力制御の目標品質を制御するステップと、
を具備する送信電力制御における目標品質制御方法。
【発明の詳細な説明】
【技術分野】
【０００１】
本発明は、例えばアウターループ送信電力制御を行う通信装置及び送信電力制御における目標品質制御方法に関する。
【背景技術】
【０００２】
従来、ＨＳＵＰＡ(High Speed Uplink Packet Access)システムにおいて、通信端末装置は、アップリンク個別チャネル（以下「Ｅ−ＤＣＨ」と記載する）データを送信する。そして、通信端末装置は、基地局からＡＣＫ（Acknowledgment）が返ってきた際に、次のＥ−ＤＣＨデータを送信し、基地局からＮＡＣＫ（Negative Acknowledgment）が返ってきた際に、最大送信回数に達していない場合にＥ−ＤＣＨデータを再送する（非特許文献１）。
【０００３】
また、基地局でのアウターループ送信電力制御では、Ｅ−ＤＣＨデータの誤り率を算出し、算出した誤り率に応じてインナーループ送信電力制御の通信品質（例えば、希望波信号対干渉波信号電力比（SIR：Signal to Interference Ratio））の目標値を制御する。なお、Ｅ−ＤＣＨは、エンハンスト個別物理制御チャネル（E-DCH Dedicated Physical Control Channel）（以下「Ｅ−ＤＰＣＣＨ」と記載する）と、エンハンスト個別物理データチャネル（Enhanced Dedicated Physical Data Channel）（以下「Ｅ−ＤＰＤＣＨ」と記載する）とを総称したものである。
【０００４】
次に、上記のＨＳＵＰＡシステムにおける従来の動作について、図１を用いて説明する。図１は、ＨＳＵＰＡシステムにおける従来の動作を示す図である。
【０００５】
通信端末装置は、Ｅ−ＴＦＣセレクション（E-TFC Selection）を行い、Ｅ−ＤＰＤＣＨのデータがある場合、基地局に初回送信としてＥ−ＤＣＨ信号を送信する（送信１）。
【０００６】
基地局は、送信１に対して、Ｅ−ＤＰＣＣＨ信号を検出し、Ｅ−ＤＰＤＣＨ信号を復号する（受信１）。
【０００７】
基地局は、Ｅ−ＤＰＤＣＨ信号の復号結果が誤り（CRC NG）の場合、通信端末装置に対してＥ−ＨＩＣＨ（Enhanced Hybrid ARQ Indicator Channel）信号によりＮＡＣＫを送信する。
【０００８】
通信端末装置は、Ｅ−ＨＩＣＨ信号のＮＡＣＫを受信し、最大送信回数に達していない場合、基地局に対して再送送信としてＥ−ＤＣＨを送信する（送信２）。
【０００９】
基地局は、送信２に対してＥ−ＤＰＣＣＨ信号を検出し、Ｅ−ＤＰＤＣＨ信号を復号する（受信２）。
【００１０】
基地局は、Ｅ−ＤＰＤＣＨ信号の復号結果に誤りが無い（CRC OK）の場合、通信端末装置に対してＥ−ＨＩＣＨ信号によりＡＣＫを送信する。
【００１１】
通信端末装置は、Ｅ−ＨＩＣＨ信号のＡＣＫを受信し、Ｅ−ＴＦＣセレクションを行い、Ｅ−ＤＰＤＣＨのデータがない場合、基地局に対してＥ−ＤＣＨを送信しない（送信３）。
【００１２】
基地局は、送信３がＤＴＸ（Discontinuous Transmission）のため、通常、Ｅ−ＤＰＣＣＨ信号を検出しないが、誤ってＥ−ＤＰＣＣＨ信号を検出する場合がある。この場合、基地局は、Ｅ−ＤＰＤＣＨ信号を復号するが、ＤＴＸに対して復号するため、復号結果は誤り（CRC NG）になる（受信３）。
【００１３】
基地局は、通信端末装置に対してＥ−ＨＩＣＨ信号によりＮＡＣＫを送信する。
【００１４】
通信端末装置は、前回の送信がＤＴＸのため、Ｅ−ＴＦＣセレクションを行い、Ｅ−ＤＰＤＣＨのデータがある場合、基地局に対して初回送信としてＥ−ＤＣＨを送信する（送信４）。
【００１５】
基地局は、送信４に対して誤ってＥ−ＤＰＣＣＨ信号を検出しない場合がある（受信４）。この場合、基地局は、通信端末装置に対してＥ−ＨＩＣＨ信号を送信しない。
【００１６】
通信端末装置は、Ｅ−ＨＩＣＨ信号の送信がない場合はＮＡＣＫとみなして、最大送信回数に達していない場合、基地局に対して再送送信としてＥ−ＤＣＨを送信する（送信５）。
【００１７】
基地局は、送信５に対してＥ−ＤＰＣＣＨ信号を検出し、Ｅ−ＤＰＤＣＨ信号を復号する（受信５）。また、この際、基地局は、Ｅ−ＤＰＤＣＨ信号がパリティビットのみを送信する再送送信の場合は、Ｅ−ＤＰＤＣＨ信号の復号結果が誤り（CRC NG）となり、通信端末装置に対してＥ−ＨＩＣＨ信号によりＮＡＣＫを送信する。
【００１８】
上記より、基地局は、Ｅ−ＤＰＣＣＨ信号を検出してＥ−ＤＣＨ送信があると判断した受信１、受信２、受信３及び受信５において、Ｅ−ＤＰＤＣＨ信号の復号結果より、Ｅ−ＤＰＤＣＨ信号の誤り率を算出する。
【００１９】
即ち、基地局は、受信３において、送信３でＤＴＸにもかかわらず誤ってＥ−ＤＣＨ送信があると判断したため、受信３を誤り（CRC NG）として、Ｅ−ＤＰＤＣＨ信号の誤り率を算出する。
【００２０】
また、基地局は、受信４において、送信４でＥ−ＤＣＨ送信があるにもかかわらず誤ってＥ−ＤＣＨ送信がないと判断したことにより、受信５ではＥ−ＤＰＤＣＨ信号の復号結果が誤り（CRC NG）となる。従って、基地局は、受信５を誤り（CRC NG）として、Ｅ−ＤＰＤＣＨ信号の誤り率を算出する。
【先行技術文献】
【非特許文献】
【００２１】
【非特許文献１】3GPP TS 25.321 V6.18.0  11.8.1.1 HARQ Operation
【発明の概要】
【発明が解決しようとする課題】
【００２２】
しかしながら、従来の装置においては、Ｅ−ＤＣＨ送信の有無の判断を誤った場合、誤った判断のままでＥ−ＤＰＤＣＨ信号の誤り率を算出する。この結果、従来の装置においては、Ｅ−ＤＰＤＣＨ信号の誤り率の算出精度が低下し、送信電力制御が正常に動作しなくなり、伝送効率が低下するという問題がある。
【００２３】
本発明の目的は、誤り率の算出精度の低下を防ぐとともに、送信電力制御を正常に動作させて、伝送効率の低下を防ぐことができる通信装置及び送信電力制御における目標品質制御方法を提供することである。
【課題を解決するための手段】
【００２４】
本発明の通信装置は、制御チャネル信号またはデータチャネル信号を受信する受信手段と、前記受信手段により受信した前記データチャネル信号を復号して前記データチャネル信号の誤りの有無を判定する復号手段と、前記復号手段により前記データチャネル信号に誤りが有ると判定された場合に、前記データチャネル信号の再送を要求する再送要求手段と、前記受信手段により受信した前記制御チャネル信号を復号して前記データチャネル信号のデータの送信回数を検出する検出手段と、前記復号手段における前記判定の結果より前記データチャネル信号の誤り率を算出するとともに、前記検出手段により検出した前記送信回数に基づいて前記誤り率を補正する誤り率算出手段と、前記誤り率算出手段において補正した前記誤り率により送信電力制御の目標品質を制御する制御手段と、を具備する構成を採る。
【００２５】
本発明の送信電力制御における目標品質制御方法は、通信装置の送信電力制御における目標品質制御方法であって、制御チャネル信号またはデータチャネル信号を受信するステップと、受信した前記データチャネル信号を復号して前記データチャネル信号の誤りの有無を判定するステップと、前記データチャネル信号に誤りが有ると判定された場合に、前記データチャネル信号の再送を要求するステップと、受信した前記制御チャネル信号を復号して前記データチャネル信号のデータの送信回数を検出するステップと、前記判定の結果より前記データチャネル信号の誤り率を算出するとともに、検出した前記送信回数に基づいて前記誤り率を補正するステップと、補正した前記誤り率により送信電力制御の目標品質を制御するステップと、を具備するようにした。
【発明の効果】
【００２６】
本発明によれば、誤り率の算出精度の低下を防ぐとともに、送信電力制御を正常に動作させて、伝送効率の低下を防ぐことができる。
【図面の簡単な説明】
【００２７】
【図１】ＨＳＵＰＡシステムにおける従来の動作を示す図
【図２】本発明の実施の形態に係る基地局の構成を示すブロック図
【図３】本発明の実施の形態に係る通信端末装置の構成を示すブロック図
【図４】本発明の実施の形態に係る基地局及び通信端末装置の動作を示す図
【発明を実施するための形態】
【００２８】
以下、本発明の実施の形態について、図面を参照して詳細に説明する。
【００２９】
（実施の形態）
図２は、本発明の実施の形態１に係る基地局１００の構成を示すブロック図である。
【００３０】
図２に示すように、基地局１００は、アンテナ１０１と、送受信共用機１０２と、受信処理部１０３と、Ｅ−ＤＰＣＣＨ検出部１０４と、ＲＳＮ抽出部１０５と、Ｅ−ＤＰＤＣＨ復号部１０６と、Ｅ−ＤＰＤＣＨ誤り率算出部１０７と、ターゲットＳＩＲ制御部１０８と、ＳＩＲ測定部１０９と、ＴＰＣコマンド作成部１１０と、Ｅ−ＨＩＣＨ符号部１１１と、送信処理部１１２とから主に構成される。以下に、各構成について、詳細に説明する。
【００３１】
アンテナ１０１は、高周波（ＲＦ）信号を受信して送受信共用機１０２へ出力する。また、アンテナ１０１は、送受信共用機１０２から入力した高周波送信信号を送信する。
【００３２】
送受信共用機１０２は、アンテナ１０１から入力した受信信号の受信処理部１０３への出力と、送信処理部１１２から入力した送信信号のアンテナ１０１への出力とを切り替える。
【００３３】
受信処理部１０３は、送受信共用機１０２から入力した受信信号を無線周波数からベースバンド周波数に周波数変換してＥ−ＤＰＣＣＨ検出部１０４と、Ｅ−ＤＰＤＣＨ復号部１０６と、ＳＩＲ測定部１０９へ出力する。
【００３４】
Ｅ−ＤＰＣＣＨ検出部１０４は、受信処理部１０３から入力した受信信号の受信電力と閾値とを比較する。また、Ｅ−ＤＰＣＣＨ検出部１０４は、比較の結果、受信電力が閾値以上の場合にＥ−ＤＰＣＣＨ信号を検出する。また、Ｅ−ＤＰＣＣＨ検出部１０４は、Ｅ−ＤＰＣＣＨ信号を検出した場合に、検出したＥ−ＤＰＣＣＨ信号をＲＳＮ抽出部１０５へ出力するとともに、ＲＳＮ（Retransmission Sequence Number）を抽出することをＲＳＮ抽出部１０５に対して指示する。また、Ｅ−ＤＰＣＣＨ検出部１０４は、Ｅ−ＤＰＣＣＨ信号を検出した場合に、Ｅ−ＤＰＤＣＨ信号を復号するようにＥ−ＤＰＤＣＨ復号部１０６に指示する。なお、Ｅ−ＤＰＣＣＨ検出部１０４は、受信電力と閾値とを比較してＥ−ＤＰＣＣＨ信号を検出する方法に限らず、任意の方法によりＥ−ＤＰＣＣＨ信号を検出することができる。また、上記の手段及び方法によりＥ−ＤＣＨ送信の有無を判断する場合に限らず、他の手段及び方法によりＥ−ＤＣＨ送信の有無を判断してもよい。例えば、Ｅ−ＤＰＣＣＨ信号の受信電力からＥ−ＤＣＨ送信の有無を判断してもよい。
【００３５】
ＲＳＮ抽出部１０５は、ＲＳＮを抽出することをＥ−ＤＰＣＣＨ検出部１０４から指示された場合に、Ｅ−ＤＰＣＣＨ検出部１０４から入力したＥ−ＤＰＣＣＨ信号よりＲＳＮを抽出する。また、ＲＳＮ抽出部１０５は、抽出したＲＳＮをＥ−ＤＰＤＣＨ誤り率算出部１０７へ出力する。
【００３６】
Ｅ−ＤＰＤＣＨ復号部１０６は、Ｅ−ＤＰＣＣＨ検出部１０４からＥ−ＤＰＤＣＨ信号の復号の指示を受けた場合に、受信処理部１０３から入力した受信信号からＥ−ＤＰＤＣＨ信号を復号する。また、Ｅ−ＤＰＤＣＨ復号部１０６は、Ｅ−ＤＰＤＣＨ信号のＣＲＣの復号結果に誤りが無い（ＯＫ）か、または誤りが有る（ＮＧ）かの判定を行い、判定結果をＥ−ＤＰＤＣＨ誤り率算出部１０７及びＥ−ＨＩＣＨ符号部１１１へ出力する。
【００３７】
Ｅ−ＤＰＤＣＨ誤り率算出部１０７は、Ｅ−ＤＰＤＣＨ復号部１０６から入力した判定結果を用いて誤り率を算出する。また、Ｅ−ＤＰＤＣＨ誤り率算出部１０７は、ＲＳＮ抽出部１０５から入力したＲＳＮに基づいて、算出した誤り率を補正する。具体的には、Ｅ−ＤＰＤＣＨ誤り率算出部１０７は、再送要求したにも関わらず、ＲＳＮ抽出部１０５から入力したＲＳＮが初回送信を示す「０」の場合、前回のＥ−ＤＣＨ送信有りが誤りであるものと判断する。そして、Ｅ−ＤＰＤＣＨ誤り率算出部１０７は、Ｅ−ＤＰＤＣＨ復号部１０６から入力した前回の判定結果を用いずに誤り率を算出する。また、Ｅ−ＤＰＤＣＨ誤り率算出部１０７は、再送要求した際に、ＲＳＮ抽出部１０５から入力したＲＳＮが再送送信を示す場合、前回のＥ−ＤＣＨ送信有りが正しいものと判断する。そして、Ｅ−ＤＰＤＣＨ誤り率算出部１０７は、Ｅ−ＤＰＤＣＨ復号部１０６から入力した前回の判定結果を用いて誤り率を算出する。また、Ｅ−ＤＰＤＣＨ誤り率算出部１０７は、算出した誤り率をターゲットＳＩＲ制御部１０８へ出力する。
【００３８】
ターゲットＳＩＲ制御部１０８は、アウターループ送信電力制御として、特定の周期により、Ｅ−ＤＰＤＣＨ誤り率算出部１０７により算出したＥ−ＤＰＤＣＨ信号の誤り率とＥ−ＤＰＤＣＨ信号の目標誤り率とを比較する。また、ターゲットＳＩＲ制御部１０８は、Ｅ−ＤＰＤＣＨ誤り率算出部１０７により算出したＥ−ＤＰＤＣＨ信号の誤り率が、Ｅ−ＤＰＤＣＨ信号の目標誤り率より大きい場合には、ターゲットＳＩＲを大きくする制御を行う。また、ターゲットＳＩＲ制御部１０８は、Ｅ−ＤＰＤＣＨ誤り率算出部１０７により算出したＥ−ＤＰＤＣＨ信号の誤り率が、目標のＥ−ＤＰＤＣＨ信号の誤り率より小さい場合には、ターゲットＳＩＲを小さくするように制御する。また、ターゲットＳＩＲ制御部１０８は、ターゲットＳＩＲをＴＰＣコマンド作成部１１０へ通知する。
【００３９】
ＳＩＲ測定部１０９は、受信処理部１０３から入力した受信信号に含まれるＤＰＣＣＨ（Dedicated Physical Control Channel）信号のパイロット信号からＳＩＲを測定し、測定結果をＴＰＣコマンド作成部１１０へ出力する。
【００４０】
ＴＰＣコマンド作成部１１０は、インナーループ電力制御として、ＳＩＲ測定部１０９において測定したＳＩＲと、ターゲットＳＩＲ制御部１０８において算出したターゲットＳＩＲとを比較する。また、ＴＰＣコマンド作成部１１０は、測定したＳＩＲがターゲットＳＩＲより大きい場合には、送信電力を下げることを意味するＤｏｗｎのＴＰＣコマンド（TPC Command）信号を作成する。また、ＴＰＣコマンド作成部１１０は、測定したＳＩＲがターゲットＳＩＲより小さい場合には、送信電力を上げることを意味するＵｐのＴＰＣコマンド信号を作成する。また、ＴＰＣコマンド作成部１１０は、作成したＴＰＣコマンドを送信処理部１１２へ出力する。
【００４１】
Ｅ−ＨＩＣＨ符号部１１１は、Ｅ−ＤＰＤＣＨ復号部１０６から入力した判定結果が誤り無し（ＯＫ）の場合は、ＡＣＫをＥ−ＨＩＣＨ信号として符号化する。また、Ｅ−ＨＩＣＨ符号部１１１は、Ｅ−ＤＰＤＣＨ復号部１０６から入力した判定結果が誤り有り（ＮＧ）の場合は、ＮＡＣＫをＥ−ＨＩＣＨ信号として符号化する。また、Ｅ−ＨＩＣＨ符号部１１１は、符号化したＨＩＣＨ信号を送信処理部１１２へ出力する。また、Ｅ−ＨＩＣＨ符号部１１１は、Ｅ−ＤＰＣＣＨ検出部１０４においてＥ−ＤＰＣＣＨ信号を検出しなかった場合には、Ｅ−ＤＣＨ送信はないものと判断して、Ｅ−ＨＩＣＨ信号の符号化を行わない。
【００４２】
送信処理部１１２は、ＴＰＣコマンド作成部１１０から入力したＴＰＣコマンド、またはＥ−ＨＩＣＨ符号部１１１から入力したＥ−ＨＩＣＨ信号をベースバンド周波数から無線周波数に周波数変換して送受信共用機１０２へ出力する。また、送信処理部１１２は、Ｅ−ＨＩＣＨ符号部１１１においてＥ−ＨＩＣＨ信号の符号化を行わない場合には、Ｅ−ＨＩＣＨ信号の周波数変換を行わない。この場合、Ｅ−ＨＩＣＨ信号は送信されない。
【００４３】
以上で基地局１００の構成の説明を終える。
【００４４】
次に、通信端末装置２００の構成について、図３を用いて説明する。図３は、通信端末装置２００の構成を示すブロック図である。
【００４５】
通信端末装置２００は、アンテナ２０１と、送受信共用機２０２と、受信処理部２０３と、ＴＰＣコマンド復号部２０４と、送信電力制御部２０５と、Ｅ−ＨＩＣＨ復号部２０６と、Ｅ−ＴＦＣセレクション部２０７と、再送制御部２０８と、Ｅ−ＤＰＣＣＨ符号部２０９と、Ｅ−ＤＰＤＣＨ符号部２１０と、送信処理部２１１とから主に構成される。
【００４６】
アンテナ２０１は、高周波信号を受信して送受信共用機２０２へ出力する。また、アンテナ２０１は、送受信共用機２０２から入力した高周波送信信号を送信する。
【００４７】
送受信共用機２０２は、アンテナ２０１から入力した受信信号の受信処理部２０３への出力と、送信処理部２１１から入力した送信信号のアンテナ２０１への出力とを切り替える。
【００４８】
受信処理部２０３は、送受信共用機２０２から入力した受信信号を無線周波数からベースバンド周波数に周波数変換してＴＰＣコマンド復号部２０４及びＥ−ＨＩＣＨ復号部２０６へ出力する。
【００４９】
ＴＰＣコマンド復号部２０４は、受信処理部２０３から入力した受信信号よりＴＰＣコマンドを復号する。また、ＴＰＣコマンド復号部２０４は、ＴＰＣコマンドを送信電力制御部２０５へ出力する。
【００５０】
送信電力制御部２０５は、ＴＰＣコマンド復号部２０４から入力したＴＰＣコマンドがＵｐの場合には、送信電力を上げるように送信電力を制御する。また、送信電力制御部２０５は、ＴＰＣコマンド復号部２０４から入力したＴＰＣコマンドがＤｏｗｎの場合には、送信電力を下げるように送信電力を制御する。
【００５１】
Ｅ−ＨＩＣＨ復号部２０６は、受信処理部２０３から入力した受信信号からＥ−ＨＩＣＨ信号を復号する。また、Ｅ−ＨＩＣＨ復号部２０６は、Ｅ−ＨＩＣＨ信号の復号結果がＡＣＫの場合、またはＥ−ＨＩＣＨ信号の復号結果がＮＡＣＫかつ最大送信回数に達した場合、Ｅ−ＴＦＣセレクション部２０７に初回送信を指示する。また、Ｅ−ＨＩＣＨ復号部２０６は、Ｅ−ＨＩＣＨ信号の復号結果がＮＡＣＫかつ最大送信回数に達していない場合、再送制御部２０８に再送送信を指示する。
【００５２】
Ｅ−ＴＦＣセレクション部２０７は、Ｅ−ＨＩＣＨ復号部２０６からの初回送信の指示に従って、Ｅ−ＴＦＣセレクションを行う。また、Ｅ−ＴＦＣセレクション部２０７は、Ｅ−ＴＦＣセレクションの結果、Ｅ−ＤＰＤＣＨのデータがある場合は、Ｅ−ＤＰＣＣＨ符号部２０９に再送回数を示すＲＳＮを、初回送信を示す「０」として通知する。そして、Ｅ−ＴＦＣセレクション部２０７は、Ｅ−ＤＰＤＣＨ符号部２１０に初回送信用のＥ−ＤＰＤＣＨのデータの符号化を指示する。また、Ｅ−ＴＦＣセレクション部２０７は、Ｅ−ＴＦＣセレクションの結果、Ｅ−ＤＰＤＣＨのデータがない場合は、Ｅ−ＤＰＣＣＨ符号部２０９及びＥ−ＤＰＤＣＨ符号部２１０に送信データ無しを示すＤＴＸ（Discontinuous Transmission）を通知する。
【００５３】
再送制御部２０８は、Ｅ−ＨＩＣＨ復号部２０６からの再送送信の指示に従って、前回のＲＳＮからインクリメントして、「１」以上かつ「３」以下の値のＲＳＮをＥ−ＤＰＣＣＨ符号部２０９へ通知する。また、再送制御部２０８は、再送送信用のＥ−ＤＰＤＣＨのデータの符号化をＥ−ＤＰＤＣＨ符号部２１０に指示する。
【００５４】
Ｅ−ＤＰＣＣＨ符号部２０９は、Ｅ−ＴＦＣセレクション部２０７または再送制御部２０８から通知されたＲＳＮを含んだＥ−ＤＰＣＣＨ信号を符号化する。また、Ｅ−ＤＰＣＣＨ符号部２０９は、符号化したＥ−ＤＰＣＣＨ信号を送信処理部２１１へ出力する。また、Ｅ−ＤＰＣＣＨ符号部２０９は、Ｅ−ＴＦＣセレクション部２０７からＤＴＸを通知された場合は、Ｅ−ＤＰＣＣＨ信号を符号化しない。
【００５５】
Ｅ−ＤＰＤＣＨ符号部２１０は、初回送信用のＥ−ＤＰＤＣＨのデータの符号化をＥ−ＴＦＣセレクション部２０７から指示された場合には、初回送信用のＥ−ＤＰＤＣＨのデータを符号化する。また、Ｅ−ＤＰＤＣＨ符号部２１０は、再送送信用のＥ−ＤＰＤＣＨのデータの符号化を再送制御部２０８から指示された場合には、再送送信用のＥ−ＤＰＤＣＨのデータを符号化する。また、Ｅ−ＤＰＤＣＨ符号部２１０は、符号化したＥ−ＤＰＤＣＨ信号を送信処理部２１１へ出力する。また、Ｅ−ＤＰＤＣＨ符号部２１０は、Ｅ−ＴＦＣセレクション部２０７からＤＴＸを通知された場合は、Ｅ−ＤＰＤＣＨ信号を符号化しない。
【００５６】
送信処理部２１１は、Ｅ−ＤＰＣＣＨ符号部２０９から入力したＥ−ＤＰＣＣＨ信号、またはＥ−ＤＰＤＣＨ符号部２１０から入力したＥ−ＤＰＤＣＨ信号をベースバンド周波数から無線周波数に周波数変換する。また、送信処理部２１１は、周波数変換後の送信信号を、送信電力制御部２０５から制御される送信電力で送受信共用機２０２へ出力する。
【００５７】
以上で、通信端末装置２００の構成の説明を終える。
【００５８】
次に、基地局１００及び通信端末装置２００の動作について、図４を用いて説明する。図４は、基地局１００及び通信端末装置２００の動作を示す図である。
【００５９】
通信端末装置２００は、Ｅ−ＴＦＣセレクション部２０７においてＥ−ＴＦＣセレクションを行い、Ｅ−ＤＰＤＣＨのデータがない場合、基地局１００に対してＥ−ＤＣＨを送信しない（送信１）。
【００６０】
基地局１００は、送信１がＤＴＸのため、本来、Ｅ−ＤＰＣＣＨ検出部１０４においてＥ−ＤＰＣＣＨ信号を検出しないはずであるが、誤ってＥ−ＤＰＣＣＨ信号を検出する場合がある。この場合、基地局１００は、Ｅ−ＤＰＤＣＨ復号部１０６においてＥ−ＤＰＤＣＨ信号を復号するが、ＤＴＸに対して復号するため、Ｅ−ＤＰＤＣＨ復号部１０６における復号結果は誤り（CRC NG）になる（受信１）。
【００６１】
従って、基地局１００は、通信端末装置２００に対してＥ−ＨＩＣＨ信号でＮＡＣＫを送信する。即ち、基地局１００は、再送を要求する。
【００６２】
また、通信端末装置２００は、前回の送信１がＤＴＸのため、Ｅ−ＴＦＣセレクション部２０７においてＥ−ＴＦＣセレクションを行い、Ｅ−ＤＰＤＣＨのデータがある場合、基地局１００に初回送信としてＥ−ＤＣＨを送信する（送信２）。
【００６３】
基地局１００は、送信２に対して、Ｅ−ＤＰＣＣＨ検出部１０４においてＥ−ＤＰＣＣＨ信号を検出し、Ｅ−ＤＰＤＣＨ復号部１０６においてＥ−ＤＰＤＣＨ信号を復号すると共に、ＲＳＮ抽出部１０５においてＲＳＮを抽出する（受信２）。
【００６４】
また、基地局１００は、抽出したＲＳＮが初回送信を示す「０」の場合、Ｅ−ＤＰＤＣＨ誤り率算出部１０７において、受信１でのＥ−ＤＣＨ送信有りの判定が誤りだったと判断する。そして、基地局１００は、Ｅ−ＤＰＤＣＨ誤り率算出部１０７において、受信１でのＥ−ＤＰＤＣＨ信号の復号結果の誤り（CRC NG）を、Ｅ−ＤＰＤＣＨ信号の誤り率の算出に使用しない。
【００６５】
以上で、基地局１００及び通信端末装置２００の動作の説明を終える。
【００６６】
上記の説明では、再送送信を要求したにもかかわらず、初回送信のＥ−ＤＣＨが送信されてきた場合に、前回のＥ−ＤＣＨ送信有りが誤りであったものと判断する。しかしながら、本実施の形態はこれに限らず、上記に加えて、前回抽出したＲＳＮと今回抽出したＲＳＮとの整合が取れていない場合に、Ｅ−ＤＣＨ送信有りが誤りだったと判断してもよい。この場合、Ｅ−ＤＰＤＣＨ信号の誤り判定結果の誤り（CRC NG）を、Ｅ−ＤＰＤＣＨ信号の誤り率の算出に使用しなくても良い。ここで、整合が取れていない場合とは、例えば、前回のＲＳＮが「０」で、再送送信を要求したにもかかわらず、次のＲＳＮが「２」または「３」である場合である。または、前回のＲＳＮが「２」で、初回送信を要求したにもかかわらず、次のＲＳＮが「１」である場合等である。
【００６７】
また、本実施の形態において、最大送信回数を考慮して、前回のＥ−ＤＣＨ送信有りの正誤を判断しても良い。例えば、再送送信を要求したにもかかわらず、初回送信のＥ−ＤＣＨが送信されてきた場合、前回のＥ−ＤＣＨ送信が最大送信回数に達していないときのみ、前回のＥ−ＤＣＨ送信有りが誤りであったものと判断してもよい。この場合、前回のＥ−ＤＰＤＣＨ信号の判定結果の誤り（CRC NG）を、Ｅ−ＤＰＤＣＨ信号の誤り率の算出に使用しなくても良い。一方、前回のＥ−ＤＣＨ送信が最大送信回数に達していた場合には、初回送信のＥ−ＤＣＨが送信される場合もあり得るので、前回のＥ−ＤＰＤＣＨ信号の判定結果の誤り（CRC NG）をＥ−ＤＰＤＣＨ信号の誤り率の算出に使用する。
【００６８】
このように、本実施の形態によれば、誤り率の算出精度の低下を防ぐとともに、アウターループ送信電力制御を正常に動作させて、伝送効率の低下を防ぐことができる。
【００６９】
なお、上記の実施の形態において、通信端末装置からデータを送信して基地局でデータを受信するＨＳＵＰＡシステムを用いたが、本発明はこれに限らず、基地局からデータを送信して通信端末装置でデータを受信するＨＳＤＰＡ(High Speed Downlink Packet Access)システムを用いても良い。その場合、データ送信の有無をＨＳ−ＳＣＣＨ（Shared Control Channel）信号を復号して判断し、ＲＳＮの代わりにNew data indicatorにより初回送信または再送送信を判断する。また、上記の本実施の形態において、ＨＳＵＰＡまたはＨＳＤＰＡを用いたが、本発明はこれに限らず、ＡＲＱ方式を用いる任意の通信システムに適用することができる。
【産業上の利用可能性】
【００７０】
本発明にかかる通信装置及び送信電力制御における目標品質制御方法は、例えばアウターループ送信電力制御を行うのに好適である。
【符号の説明】
【００７１】
１００  基地局
１０１  アンテナ
１０２  送受信共用機
１０３  受信処理部
１０４  Ｅ−ＤＰＣＣＨ検出部
１０５  ＲＳＮ抽出部
１０６  Ｅ−ＤＰＤＣＨ復号部
１０７  Ｅ−ＤＰＤＣＨ誤り率算出部
１０８  ターゲットＳＩＲ制御部
１０９  ＳＩＲ測定部
１１０  ＴＰＣコマンド作成部
１１１  Ｅ−ＨＩＣＨ符号部
１１２  送信処理部
【図１】
2011120075.tif 000003
【図２】
2011120075.tif 000004
【図３】
2011120075.tif 000005
【図４】
2011120075.tif 000006